(57)【要約】【課題】利便性を向上できる薬液用包装体を提供することを目的とする。【解決手段】上面に開口部１０ａを有して薬液が充填される収容部１０と、開口部１０ａの周縁から外周方向に延びる延設部１３と、延設部１３に固着して開口部１０ａを塞ぐとともに開口部１０ａに厚み方向の一部を切断した切込線２１を有する蓋部２０と、蓋部２０の切込線２１上に配されるとともに薬液を吸収できる吸収体３０とを備え、延設部が対向する両端に形成した手指が掛けられる掛止部１２とを有して蓋部２０よりも硬質の樹脂により形成され、収容部１０を挟んで対向する掛止部１２を近づけた際に延設部１３の対向する両端が収容部１０を挟んで近づけられた際に蓋部２０の切込線２１が厚み方向に貫通して吸収体に薬液が吸収される。【選択図】図４
2013189222.tif 000002
【特許請求の範囲】
【請求項１】
上面に開口部を有して薬液が充填される収容部と、前記開口部の周縁から外周方向に延びる延設部と、前記延設部の対向する両端に形成した手指が掛けられる掛止部と、前記延設部に固着して前記開口部を塞ぐとともに前記開口部上に厚み方向の一部を切断した切込線を有する蓋部と、前記蓋部の前記切込線上に配されるとともに薬液を吸収できる吸収体とを備え、前記延設部が前記蓋部よりも硬質の樹脂により形成され、前記収容部を挟んで対向する前記掛止部を近づけた際に前記蓋部の前記切込線が厚み方向に貫通して前記吸収体に薬液が吸収されることを特徴とする薬液用包装体。
【請求項２】
前記吸収体の外周が前記延設部の外周より外側に延びて形成されることを特徴とする請求項１に記載の薬液用包装体。
【発明の詳細な説明】
【技術分野】
【０００１】
本発明は薬液を包装する薬液用包装体に関する。
【背景技術】
【０００２】
従来の薬液用の包装体が特許文献１に開示される。この包装体は脱脂綿が取り付けられた綿棒と薬液とが分離して収納されている。また、薬液が収納された薬液袋は包装体の蓋部を剥離する際に破れ得るように包装体及び蓋部に接合されている。使用の際、包装体の蓋部を剥離すると、薬液袋が破れて吸収体が収容される収容部へ流出する。吸収体が薬液を吸収した後、薬液が含浸した綿棒を包装体から取り出して患部に薬液を塗布する。これにより、薬液と綿棒とを別々に用意する必要がなく、簡単に薬液を塗布することができる。
【先行技術文献】
【特許文献】
【０００３】
【特許文献１】特開平１０−０８６９７７号公報
【発明の概要】
【発明が解決しようとする課題】
【０００４】
しかしながら、上記従来の薬液用の包装体によると、使用者は収容部を開封する作業と、脱脂綿に薬液を吸収した綿棒を取り出す作業とを行って薬液を塗布する。このため、薬剤の塗布時の作業手順が多くなる。また、薬液を塗布した後に薬液が付着する包装体と綿棒とが薬液に汚染されたゴミとして残り、ゴミを２回廃棄する必要がある。加えて、収容部の開封時に薬液が零れる場合や綿棒に吸収されずに包装体に残る薬液が零れる場合がある。従って、薬液用の包装体の利便性が悪い問題があった。
【０００５】
本発明は上記問題点に鑑み、利便性を向上できる薬液用包装体を提供することを目的とする。
【課題を解決するための手段】
【０００６】
上記目的を達成するために本発明は、薬液用包装体であって、上面に開口部を有して薬液が充填される収容部と、前記開口部の周縁から外周方向に延びる延設部と、前記延設部の対向する両端に形成した手指が掛けられる掛止部と、前記延設部に固着して前記開口部を塞ぐとともに前記開口部上に厚み方向の一部を切断した切込線を有する蓋部と、前記蓋部の前記切込線上に配されるとともに薬液を吸収できる吸収体とを備え、前記延設部が前記蓋部よりも硬質の樹脂により形成され、前記収容部を挟んで対向する前記掛止部を近づけた際に前記蓋部の前記切込線が厚み方向に貫通して前記吸収体に薬液が吸収されることを特徴としている。
【０００７】
この構成によると、延設部の対向する両端に形成された掛止部が例えば使用者の親指と人差し指により摘持して互いに近づけられると、延設部が蓋部よりも硬質の樹脂により形成されているため、延設部上面が下方に湾曲するように変形するにつれて蓋部が両側方に引張られる方向に変形されることで蓋部が切込線を起点に開口する。これにより、収容部内の薬液が開口部から流出して切込線上に配される吸収体に吸収される。使用者は収容部を手指で摘持して吸収体により薬液を塗布する。薬液の塗布後、収容部と吸収体とが一体化されたゴミが廃棄される。
【０００８】
また本発明は、上記構成の包装体において、前記吸収体の外周が前記延設部の外周より外側に延びて形成されることを特徴としている。この構成によると、吸収体の塗布面積が大きくなる。このため、作業性を高めることができる。また、延設部の外周が吸収体により覆われ、延設部の外周が患部に直接当たり患部を傷つけるのを防止することができる。
【発明の効果】
【０００９】
本発明によると、薬液を充填した収容部から延びる延設部に固着される蓋部により収容部が塞がれ、蓋部に設けた切込線上に吸収体を配し、延設部の対向する掛止部を近づけることによって蓋部の切込線が厚み方向に貫通して蓋部が開口し、薬液が吸収体に吸収される。次に、収容部を摘持した状態で薬液を塗布することができる。これにより、収容部を開封する動作と薬液を塗布する動作とを一体的に連続して行うことができる。また、切込線上に吸収体が配されるため収容部が吸収体により塞がれ、薬液を零さずに包装体を使用することができる。加えて、薬液を塗布した後の包装体を収容部と吸収体とを一体にゴミとして廃棄することができる。従って、使用者の利便性を向上することができる。
【図面の簡単な説明】
【００１０】
【図１】本発明の実施形態に係る包装体の分解斜視図
【図２】本発明の実施形態に係る包装体の断面図
【図３】本発明の実施形態に係る蓋部の層構成を示す概略断面図
【図４】本発明の実施形態に係る包装体の使用状態を示す斜視図
【発明を実施するための形態】
【００１１】
以下に本発明の実施形態を図面を参照して説明する。図１は一実施形態の薬液用の包装体の分解斜視図であり、図２は包装体の断面図である。
【００１２】
包装体１は上面に開口部１０ａを有して薬液４０が充填される収容部１０と、開口部１０ａを塞ぐ蓋部２０と、蓋部２０の上部に配され薬液４０を吸収する吸収体３０とで構成される。なお、蓋部２０と吸収体３０とはホットメルト接着剤７０を介して接着される。
【００１３】
薬液４０は吸収体３０に含浸させて塗布するのに適したすべての溶液を用いることができる。例えば、消毒薬、キズ薬、かゆみ止め薬を用いることができる。また、洗浄液や化粧液を用いてもよい。
【００１４】
収容部１０は樹脂フィルムにより形成され、開口部１０ａの周縁から外周方向に延びる延設部１３が一体に成形される。延設部１３は収容部１０の対向する両端に手指が掛けられる掛止部１２が形成される。
【００１５】
収容部１０及び延設部１３は後述する蓋部２０よりも硬質の樹脂により形成されている。収容部１０及び延設部１３の樹脂フィルムとして、例えば、ポリエチレン、ポリプロピレン、塩化ビニルとポリスチレンとポリエチレンテレフタレートの少なくとも一を含む積層体等を任意に選択して使用することができる。
【００１６】
また、収容部１０及び延設部１３の樹脂フィルムとして、例えば、ポリプロピレン/未延伸ナイロン/ポリエチレン、ポリプロピレン/未延伸ナイロン/ポリプロピレン、ポリエチレンテレフタレート/未延伸ナイロン/エチレン−ビニルアルコール共重合体/ポリプロピレンなどからなる共押フィルムが使用できる。
【００１７】
また、蓋部２０は開口部１０ａ上に切込線２１が形成される。切込線２１は蓋部２０を厚み方向の一部を切断してハーフカット状の切込みとして形成される。このとき、後述する基材層６１を厚み方向に所定深さで切断してもよいし、中間層のみを厚み方向に所定深さで切断してもよい。切込線２１の両側方が引っ張られると、蓋部２０の切込線２１が厚み方向に貫通して蓋部２０が開口するようになっている。なお、切込線２１はミシン目状に設けてもよいし、連続した切線として形成してもよい。
【００１８】
図３は蓋部２０の断面図を示している。蓋部２０は少なくとも基材層６１と最内層となる熱接着性樹脂層６３とを備えており、基材層６１と熱接着性樹脂層６３との間には中間層（不図示）を設けてもよい。
【００１９】
基材層６１は包装体１に高い密封性、耐突き刺し（耐ピンホール）性、品質保全性、衛生性等を付与するものである。基材層６１としては、未延伸ナイロン、ポリエチレンテレフタレート、ポリエチレンナフタレート等の公知の樹脂を任意に選択することができ、単層または多層にして使用することができる。
【００２０】
中間層（不図示）は、例えば、外部から収納部１０の内部に水蒸気や酸素が浸入することを防止して収納部１０に収納される薬剤４０の劣化を防止するために設けられる。中間層としては、例えば、エチレン−ビニルアルコール共重合体、アルミニウム、ニッケルなどの金属、又は、無機化合物、例えば、酸化珪素、アルミナ等を蒸着したフィルムなどが挙げられる。
【００２１】
熱接着性樹脂層６３は熱によって溶融して対向する延設部１３の表層と融着して熱接着し得るものであればよく、例えば、低密度ポリエチレン、中密度ポリエチレン、高密度ポリエチレン、直鎖状（線状）低密度ポリエチレン、メタロセン触媒（シングルサイト触媒）を使用して重合したエチレン・α−オレフィン共重合体、ポリプロピレン、エチレン・酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマール酸等の不飽和カルボン酸で変性した酸変性ポリオレフィン系樹脂等から選ばれた１種ないし２種以上を使用することができる。好ましいものとしては、直鎖状低密度ポリエチレンを挙げることができる。
【００２２】
蓋部２０の樹脂フィルムとして好ましくは、ポリエチレンテレフタレート／ポリエチレン／ポリエチレンで構成される積層体、ポリエチレンテレフタレート／ドライラミネート用接着剤／エチレン−ビニルアルコール共重合体／ポリエチレンで構成される積層体、ポリエチレンテレフタレート／ポリエチレン／未延伸ポリプロピレンで構成される積層体を使用することができる。
【００２３】
なお、蓋部２０に用いられる樹脂フィルムは延設部１３に用いられる樹脂フィルムの種類に応じて選択する。蓋部２０にポリエチレンテレフタレート／ポリエチレン／ポリエチレンで構成される積層体又はポリエチレンテレフタレート／ドライラミネート用接着剤／エチレン−ビニルアルコール共重合体／ポリエチレンで構成される積層体を用いる場合、収容部１０及び延設部１３にはポリプロピレン／未延伸ナイロン／ポリエチレン、ポリプロピレン／未延伸ナイロン／ポリプロピレン、ポリエチレンテレフタレート／未延伸ナイロン／エチレン−ビニルアルコール共重合体／ポリプロピレンなどからなる共押フィルムを用いる。この組み合わせによると、包装体１は耐衝撃性に優れ、輸送中に収容部１０が破断するのを防止することができる。また、中間層であるエチレン−ビニルアルコール共重合体を介在させることにより、収容部１０の内部の気密性が高まる。
【００２４】
また、蓋部２０にポリエチレンテレフタレート／ポリエチレン／未延伸ポリプロピレンを用いる場合、収容部１０及び延設部１３には未延伸のポリプロピレンフィルムを用いることができる。この組み合わせによると、未延伸のポリプロピレン同士がヒートシールにより、高い接着強度で熱接着する。
【００２５】
蓋部２０の切込線２１上には吸収体３０がホットメルト接着剤７０を介して接着される。吸収体３０は薬剤４０を吸収できる材質を有し、開口部１０ａを覆うように配される。また、吸収体３０の外周は延設部１３の外周より外側に延びて形成される。なお、ホットメルト接着剤以外に各種接着剤を用いてもよい。
【００２６】
吸収体３０は薬液を吸収し、かつ皮膚等に塗布し得るものであれば、その材料は特に限定されない。例えば、脱脂綿、絹、ウール、レーヨン、ポリエステル、アクリル、ナイロン、ポリオレフィン等を用いることができる。また、これらを２種以上混合したものであってもよい。形状も特に限定されるものではなく、例えば、球形、円筒形、平板形等の適宜の形状とすることができる。また、吸収体３０は、繊維を巻き付けたもの、帯状の不織布をロール状に巻き付けたもの、型抜きされた一体ものや成型品であってもよい。
【００２７】
図４は包装体１の使用状態を示す斜視図である。対向する延設部１３の両端に設けられた掛止部１２を例えば使用者の親指と人差し指でそれぞれ摘持し、収容部１０を挟んで延設部１３の両端を近づける。このとき、延設部１３が蓋部２０よりも硬質の樹脂により形成されているため、延設部１３上面が下方に湾曲するように変形するにつれて蓋部２０が両側方に引張られる方向に変形される。これにより、蓋部２０が両側方に引っ張られ、切込線２１を起点として切込線２１が厚み方向に貫通して蓋部２０が開口し、収容部１０が開封される。蓋部２０の破断によって開口部１０ａから薬液４０が流出し、切込線上２１に配される吸収体３０に吸収される。
【００２８】
使用者は図４に示すように収容部１０を摘持した状態で吸収体３０により薬液４０を患部に塗布する。これにより、収容部１０を開封する動作と薬液４０を塗布する動作とを一体的に連続して行うことができる。また、吸収体３０の外周は延設部１３の外周より外側に延びて形成されており、吸収体３０の塗布面積を大きく設けることができる。これにより、作業性を高めることができる。また、延設部１３の外周が吸収体３０により覆われ、延設部１３の外周が患部に直接当たり患部を傷つけるのを防止することができる。また、切込線２１上に吸収体３０が配されるため収容部１０が吸収体３０により塞がれ、薬液４０を零さずに包装体１を使用することができる。
【００２９】
また、薬液４０を塗布した後の包装体１が収容部１０と吸収体３０とを一体にゴミとして廃棄される。
【００３０】
本実施形態によると、薬液４０を充填した収容部１０から延びる延設部１３に固着される蓋部２０により収容部１０が塞がれ、蓋部２０に設けた切込線２１上に吸収体３０を配し、延設部１３の対向する両端に形成された掛止部１２を近づけることによって蓋部２０の切込線２１が厚み方向に貫通して蓋部２０が開口し、薬液４０が吸収体３０に吸収される。次に、収容部１０を摘持した状態で薬液４０を塗布することができる。これにより、収容部１０を開封する動作と薬液４０を塗布する動作とを一体的に連続して行うことができる。また、切込線２１上に吸収体３０が配されるため収容部１０が吸収体３０により塞がれ、薬液４０を零さずに包装体１を使用することができる。加えて、薬液４０を塗布した後の包装体１を収容部１０と吸収体３０とを一体にゴミとして廃棄することができる。従って、使用者の利便性を向上することができる。
【００３１】
また、吸収体３０の外周は延設部１３の外周より外側に延びて形成されており、吸収体３０の塗布面積を大きく設けることができる。これにより、作業性を高めることができる。また、延設部１３の外周が吸収体３０により覆われ、延設部１３の外周が患部に直接当たり患部を傷つけるのを防止することができる。
【産業上の利用可能性】
【００３２】
本発明は、例えば、医薬品を包装する包装体に利用可能である。
【符号の説明】
【００３３】
１                包装体
１０              収容部
１０ａ            開口部
１２              掛止部
１３              延設部
２０              蓋部
２１              切込線
３０              吸収体
４０              薬液
６１              基材層
６３              熱接着性樹脂層
７０              ホットメルト接着剤
【図１】
2013189222.tif 000003
【図２】
2013189222.tif 000004
【図３】
2013189222.tif 000005
【図４】
2013189222.tif 000006